(57)【要約】【課題】部品を削減し、コストを低減させるとともに、安定した動作を行なえるソレノイドバルブを提供する。【解決手段】励磁されたコイル４によりコア１に磁気吸引されるプランジャ６を備えたソレノイド部と、このプランジャ６によりリフトするロッド８と、このロツド８及び流体力によりリフトするボール９で弁構造を構成し、流体制御を行うソレノイドバルブにおいて、このボール９をガイドするための部品を別に設けないで、ハウジング３自体にガイドさせる構造を設けるとともに、ハウジング３に少なくとも二つ以上のアウトポート流路を別々のルートで構成させることにより、ガイド部品なしでも安定した弁構造を成立させる。【選択図】　　　　図１
2004116762.tif 000002
【特許請求の範囲】
【請求項１】
コイルの電磁力により移動するロッドをハウジング内に設けると共に、上記ロッドと一体移動するボールを備え、このボールの上下部に位置するように上記ハウジングに圧入されたシートを有するソレノイドバルブにおいて、上記ハウジングに上記ボールのガイド部を丸穴で構成すると共に、上記ボールの移動方向とは異なる方向に２つ以上の流体通路を上記ハウジングに設けたことを特徴とするソレノイドバルブ。
【請求項２】
上記一方のシート機能をハウジングに持たせたことを特徴とする請求項１記載のソレノイドバルブ。
【発明の詳細な説明】
【０００１】
【発明の属する技術分野】
この発明は流体制御を行なうためのソレノイドバルブに関するものである。
【０００２】
【従来の技術】
図５は従来のソレノイドバルブを示す断面図、図６はガイド部を示す平面断面図である。
図において、２１はコア、２２はケース、２３はハウジング、２４はボビン２５に巻回され、電磁力を発生させるコイル、２６はプランジャ、２７はプランジャ２６に付勢力を与えるスプリング、２８はプランジャ２６と共に移動するロッド、２９はロッド２８と共に移動するボール、３０，３１はシート、３２はボール２９を支持するためのガイド、３２ａはガイド３２に設けられた谷部、３２ｂはガイド３２に設けられた山部、３３，３４は気密性を保持するためのОリング、３５は排出ポート、３６はアウトポート、３７はインポートである。
【０００３】
上記のように構成されたソレノイドバルブにおいては、コイル２４に通電したときは、プランジャ２６はコア２１側に吸引され、流体はインポート３７からアウトポート３６に流れる。
又、非通電時には、ボール２９はシート３１に着座するため、流体は排出ポート３５からアウトポート３６に流れる。
【０００４】
また、図７は図５のソレノイドバルブに対しガイドの機能をハウジング２３に持たせた場合のソレノイドバルブを示す断面図、図８はガイド部を示す平面断面図であり、２３ａはハウジング２３に設けられた谷部、２３ｂはハウジング２３に設けられた山部である。
【０００５】
図５あるいは図７に示すようなボール弁構造で流体を制御するために用いられるソレノイドバルブにおいては、一定流量の確保、及びボール２９のリフトの安定性が必要であり、そのために図６に示すようなガイド３２をハウジング２３に挿入し、このガイド３２の山部３２ｂでボール２９を支持し、谷部３２ａで流量を確保し、あるいは図８に示すように、ハウジング２３の山部２３ｂでボール２９を支持し、谷部２３ａで流量を確保することで流体制御を行っている。
【０００６】
【特許文献１】
特開平５−８７２６５号公報
【０００７】
【発明が解決しようとする課題】
従来のソレノイドバルブは以上のように構成されていたので、ボールをガイドするガイドが必要となり部品点数が増え、あるいはハウジングにガイド機能を持たせた場合は複雑な形状を加工する必要があり、特にハウジング材料を金属やアルミとする場合、加工が複雑で生産コストが高くなるという問題点があった。
【０００８】
この発明は上記のような課題を解決するためになされたものであり、ボールをガイドする山部と流体通路を構成し、流量を確保する谷部を有しているガイドあるいはハウジングを用いないで、ボールを安定性良くリフトさせることにより、コストを低減させることを目的とする。
【０００９】
【課題を解決するための手段】
この発明の請求項１に係るソレノイドバルブは、コイルの電磁力により移動するロッドをハウジング内に設けると共に、ロッドと一体移動するボールを備え、このボールの上下部に位置するようにハウジングに圧入されたシートを有するものであって、ハウジングにボールのガイド部を単純な丸穴で構成すると共に、ボールの移動方向とは異なる方向に２つ以上の流体通路をハウジングに設けたものである。
【００１０】
この発明の請求項２に係るソレノイドバルブは、一方のシート機能をハウジングに持たせたものである。
【００１１】
【発明の実施の形態】
実施の形態１．
以下、この発明の一実施形態を図に基づいて説明する。
図１はこの発明の実施の形態１によるソレノイドバルブを示す断面図、図２は非通電時を示す部分拡大断面図、図３は通電時を示す部分拡大断面図である。
図において、１はコア、２はケース、３はハウジング、４はボビン５に巻回され、電磁力を発生させるコイル、６はプランジャ、７はプランジャ６に付勢力を与えるスプリング、８はプランジャ６と共に移動するロッド、９はロッド８の先端に取り付けられたボール、１０，１１はボール９の移動する方向にボール９を挟み込むように対向して、ハウジング３に圧入、あるいはインサート成形されたシート、１２，１３は気密性を保持するためのОリング、１４は排出ポート、１５，１６はアウトポート、１７はインポートである。
【００１２】
本実施形態においては、図に示すように、ハウジング３にボール９のガイド部３ａを単純な丸穴で構成し、２つのアウトポート１５，１６を設ける。
図２は非通電、図３は通電時のそれぞれのボール９のシール状態を示している。図２における流体の流れは、アウトポート１５から排出ポート１４へ積極的に流れる。
図３における流体の流れは、インポート１７からアウトポート１６に積極的に流れる。
【００１３】
流量確保はアウトポート１５，１６を設けることにより確保でき、このような構造を採ることにより、従来のようなボールをガイドする山部と、流路を構成する谷部からなるガイドを無くすことができる。
尚上記説明においては、２つのアウトポート１５，１６を設ける場合について説明したが、３つ以上設けるようにしてもよい。
このように部品点数を削減し、加工を簡単にすることで、生産コストを低減することができる。
【００１４】
実施の形態２．
図４は実施の形態２によるソレノイドバルブを示す断面図である。図１に比べて、シート１１を取り除くことにより、一つのシート部材の機能をハウジング３に持たせたものであり、部品点数を更に削減でき、生産コストを低減することができる。
【００１５】
以上のように本発明によれば、ガイドを廃止し、ハウジングに単純な丸穴加工でガイド機能を持たせることにより、生産コストを抑えることができる。
更にはガイドを廃することで、ガイドに必要なスペースを省くことができる為、更なる小型化を図ることができる。
【００１６】
【発明の効果】
この発明の請求項１に係るソレノイドバルブによれば、コイルの電磁力により移動するロッドをハウジング内に設けると共に、ロッドと一体移動するボールを備えたものであって、ハウジングにボールのガイド部を設けたので、部品点数を削減することができ、組立性を向上させ、更には生産コストを抑えることができる。
又、ハウジングに設けられたガイド部分に複数のアウトポートを設けたので、流量を確保することができる。
【００１７】
この発明の請求項２に係るソレノイドバルブによれば、一方のシート機能をハウジングに持たせたので、更に部品点数を削減でき、生産コストを低減することができる。
【図面の簡単な説明】
【図１】この発明の実施の形態１によるソレノイドバルブを示す断面図である。
【図２】この発明の実施の形態１によるソレノイドバルブを示す部分拡大断面図である。
【図３】この発明の実施の形態１によるソレノイドバルブを示す部分拡大断面図である。
【図４】この発明の実施の形態２によるソレノイドバルブを示す断面図である。
【図５】従来のソレノイドバルブを示す断面図である。
【図６】ガイド部を示す平面断面図である。
【図７】従来のソレノイドバルブで、ボールのガイドをハウジングにより行なったものを示す断面図である。
【図８】ガイド部を示す平面断面図である。
【符号の説明】
３　ハウジング、３ａ　ガイド部、４　コイル、８　ロッド、９　ボール、１０，１１　シート、１５，１６　アウトポート。
【図１】
2004116762.tif 000003
【図２】
2004116762.tif 000004
【図３】
2004116762.tif 000005
【図４】
2004116762.tif 000006
【図５】
2004116762.tif 000007
【図６】
2004116762.tif 000008
【図７】
2004116762.tif 000009
【図８】
2004116762.tif 000010